(57)【要約】【課題】光利用効率が高く、高い光学的均一性を有するバックライト装置に対応可能であり、製造が簡単である発光ダイオードパッケージ等を実現する。【解決手段】発光ダイオードパッケージ１００は、側面５ａ〜５ｄによる、ＬＥＤ素子２から射出された光のγ−α断面における配光角と、側面５ａ〜５ｄによる、ＬＥＤ素子２から射出された光のγ−β断面における配光角とが異なっている。側面５ａ〜５ｄは曲側面である。【選択図】図１
2013084690.tif 000002
【特許請求の範囲】
【請求項１】
開口部が設けられたパッケージ筐体と、発光ダイオード素子とを備えている発光ダイオードパッケージであって、
上記開口部は、
上記発光ダイオード素子が設けられており、矩形である底面と、
上記底面を構成する各辺に接する４つの側面とにより構成されており、
上記４つの側面は、
上記底面における対辺の一方の組を構成する各辺に接する２つの上記側面である第１側面対と、
上記底面における対辺の他方の組を構成する各辺に接する２つの上記側面である第２側面対とから成り、
上記４つの側面は、上記底面に垂直な上記開口部の断面が上記底面から離れる程に大きくなるように設けられており、
上記第１側面対を構成する各側面、および上記第２側面対を構成する各側面のうち、少なくとも一方は、上記底面に対する傾斜角度が、上記底面から離れる程に大きくなるように設けられており、
上記底面に垂直であって、上記第１側面対を構成する上記側面のいずれかに接する上記底面の辺と平行な第１の断面と、上記底面に垂直であって、上記第２側面対を構成する上記側面のいずれかに接する上記底面の辺と平行な第２の断面とで、上記発光ダイオード素子から射出された光の配光角が異なっていることを特徴とする発光ダイオードパッケージ。
【請求項２】
上記第１側面対を構成する各側面、および上記第２側面対を構成する各側面のうち、少なくとも一方は、複合放物面であることを特徴とする請求項１に記載の発光ダイオードパッケージ。
【請求項３】
上記開口部が樹脂で封止されていることを特徴とする請求項１または２に記載の発光ダイオードパッケージ。
【請求項４】
上記底面が散乱面であることを特徴とする請求項１〜３のいずれか１項に記載の発光ダイオードパッケージ。
【請求項５】
請求項１〜４のいずれか１項に記載の発光ダイオードパッケージを備えていることを特徴とするバックライト装置。
【請求項６】
導光板と、
上記発光ダイオードパッケージから光が入射され、上記導光板に向けて光を射出するように設けられた蛍光体層とを備えていることを特徴とする請求項５に記載のバックライト装置。
【発明の詳細な説明】
【技術分野】
【０００１】
本発明は、発光ダイオードパッケージ、および該発光ダイオードパッケージを備えたバックライト装置に関する。
【背景技術】
【０００２】
近年、例えば液晶表示装置のバックライト装置として、ＬＥＤ（Light Emitting Diode：発光ダイオード）素子を用いたものが開発されている。
【０００３】
また、最近、液晶表示装置においては、薄型化が一層進んでいる。
【０００４】
上記液晶表示装置においては、液晶パネルモジュールに合わせて、バックライト装置の薄型化および軽量化が求められている。そして、液晶パネルモジュールの上下および左右の側面に、ＬＥＤパッケージ等の光源モジュールを配する構成の、いわゆるエッジライト方式のバックライト装置が、該薄型化に貢献している。
【０００５】
ここで、上記エッジライト方式のバックライト装置は、光源モジュールおよびその他の光学系における光利用効率が必ずしも良好でない上、射出光の光学的均一性も必ずしも良好でない。従って、上記エッジライト方式のバックライト装置においては、該光利用効率および光学的均一性を改善する必要がある。
【０００６】
ＬＥＤパッケージおよび／またはＬＥＤパッケージを備えたバックライト装置における、光利用効率および／または光学的均一性を改善する技術として、特許文献１〜４に開示された技術が挙げられる。該改善により、該バックライト装置を備えた液晶表示装置における画質の向上を図ることが可能である。
【０００７】
特許文献１には、薄型かつ軽量の構成に対応する高い光利用効率の光源モジュールであって、高い光学的均一性を有するバックライト装置に対応する構成が開示されている。
【０００８】
特許文献１に係る光源モジュールは、基板に、凸レンズを搭載する光源ユニットと、凹レンズを搭載する光源ユニットとを混載した構成である。
【０００９】
特許文献２には、放出光の指向角の特性を改善し、かつ放出光量を増加させることができるバックライト装置に用いられるＬＥＤパッケージが開示されている。
【００１０】
特許文献３には、円弧型の窪みの底部にＬＥＤ素子を実装したパッケージの構成が開示されている。
【００１１】
特許文献４には、輝度や色度の光学的な均一性を確保することが可能なパッケージの構成が開示されている。
【００１２】
特許文献２〜４に開示されているパッケージは、底面にＬＥＤ素子が設けられており、側面が底面から広がりを持つように傾斜した構成である。
【先行技術文献】
【特許文献】
【００１３】
【特許文献１】特開２０１０−２００９７号公報（２０１０年１月２８日公開）
【特許文献２】特開２００９−２３９３２１号公報（２００９年１０月１５日公開）
【特許文献３】特開２００８−９８５５５号公報（２００８年４月２４日公開）
【特許文献４】特開２０１０−６２３０５号公報（２０１０年３月１８日公開）
【発明の概要】
【発明が解決しようとする課題】
【００１４】
特許文献１に開示されている光源モジュールでは、凸レンズまたは凹レンズが搭載された光源ユニットが複数個必要となる。この結果、該光源モジュールにおいては、各光源ユニットの構成が複雑となるため、製造が困難となるという問題が発生する。
【００１５】
特許文献２〜４に開示されているパッケージの構成では、ＬＥＤ素子からの射出光が、ＬＥＤ素子の射出方向およびその近傍において低い光度となり、該射出光の配光特性が、該射出方向およびその近傍において不均一となり易いという問題が発生する。
【００１６】
加えて、特許文献３および４に開示されているパッケージは、その構成が複雑であり、製造が困難であり、製造コストが高くなるという問題が発生する。
【００１７】
本発明は、上記の問題に鑑みて為されたものであり、その目的は、光利用効率が高く、高い光学的均一性を有するバックライト装置に対応可能であり、製造が簡単である発光ダイオードパッケージ、およびそれを備えたバックライト装置を提供することにある。
【課題を解決するための手段】
【００１８】
本発明の発光ダイオードパッケージは、上記の問題を解決するために、開口部が設けられたパッケージ筐体と、発光ダイオード素子とを備えている発光ダイオードパッケージであって、上記開口部は、上記発光ダイオード素子が設けられており、矩形である底面と、上記底面を構成する各辺に接する４つの側面とにより構成されており、上記４つの側面は、上記底面における対辺の一方の組を構成する各辺に接する２つの上記側面である第１側面対と、上記底面における対辺の他方の組を構成する各辺に接する２つの上記側面である第２側面対とから成り、上記４つの側面は、上記底面に垂直な上記開口部の断面が上記底面から離れる程に大きくなるように設けられており、上記第１側面対を構成する各側面、および上記第２側面対を構成する各側面のうち、少なくとも一方は、上記底面に対する傾斜角度が、上記底面から離れる程に大きくなるように設けられており、上記底面に垂直であって、上記第１側面対を構成する上記側面のいずれかに接する上記底面の辺と平行な第１の断面と、上記底面に垂直であって、上記第２側面対を構成する上記側面のいずれかに接する上記底面の辺と平行な第２の断面とで、上記発光ダイオード素子から射出された光の配光角が異なっていることを特徴としている。
【００１９】
上記の構成によれば、第１側面対を構成する各側面および／または第２側面対を構成する各側面は、底面に対する傾斜角度が、底面から離れる程に大きくなっている。以下、該傾斜角度が、底面から離れる程に大きくなっている側面を「曲側面」とも称する。換言すれば、曲側面は、パッケージ筐体の外側に凸となるように膨らんだ側面である。
【００２０】
曲側面においては、発光ダイオード素子の射出光の配光角を極めて狭くすることが可能である。また、配光角が極めて狭い該射出光は、側面による反射が非常に少なくなり、屈折率が異なる物質への入射時における界面反射が少なくなるため、高い光度とすることができ、光利用効率も高いと言える。
【００２１】
そして、曲側面を適用することにより、発光ダイオード素子から射出された光の第１の断面における配光角と、発光ダイオード素子から射出された光の第２の断面における配光角との、一方を広くし、他方を狭くする。これにより、発光ダイオード素子から射出された光の配光特性を、射出方向およびその近傍において高い光度とすることができるので、該射出方向およびその近傍において不均一となりにくくすることが可能となる。
【００２２】
また、本発明の発光ダイオードパッケージは、開口部を設け、開口部の底面に発光ダイオード素子を設けるだけの簡素な構成で実現可能であるため、製造が容易であり、製造コストの低下も期待できる。
【００２３】
また、本発明の発光ダイオードパッケージの、上記第１側面対を構成する各側面、および上記第２側面対を構成する各側面のうち、少なくとも一方は、複合放物面であるのが好ましい。
【００２４】
上記の構成によれば、複合放物面により、曲側面を実現する。これにより、発光ダイオード素子から射出された光の第１の断面における配光角と、発光ダイオード素子から射出された光の第２の断面における配光角とを異ならせることが容易となる。
【００２５】
ところで、特許文献１に開示されている光源モジュールは、バックライト装置の導光板から距離ｄ（例えば、５ｍｍ）離間して配置することが好適とされている。これにより、該光源モジュールと該導光板との間で、屈折率がこれらと大きく異なる領域が発生し、この結果、屈折率が大きく異なる異種物質間での光の反射に起因して、バックライト装置における光利用効率が悪化する虞があるという問題が発生する。
【００２６】
そこで、本発明の発光ダイオードパッケージは、上記開口部が樹脂で封止されているのが好ましい。
【００２７】
上記の構成によれば、開口部を樹脂で封止することにより、発光ダイオードパッケージと導光板との間で、屈折率がこれらと大きく異なる領域を少なくすることができる。この結果、バックライト装置における光利用効率が悪化する虞を低減することが可能となる。
【００２８】
また、本発明の発光ダイオードパッケージは、上記底面が散乱面であるのが好ましい。
【００２９】
上記の構成によれば、底面を散乱面とすることにより、さらなる光利用効率の向上を図ることが可能となる。
【００３０】
また、本発明のバックライト装置は、本発明の発光ダイオードパッケージを備えているのが好ましい。
【００３１】
また、本発明のバックライト装置は、導光板と、上記発光ダイオードパッケージから光が入射され、上記導光板に向けて光を射出するように設けられた蛍光体層とを備えているのが好ましい。
【００３２】
発光ダイオードパッケージからの射出光は配光角が好適に制御されているため、上記の構成によれば、色度の制御が容易となる。また、バックライト装置の構造を簡易化することが可能となり、生産性が向上する。
【発明の効果】
【００３３】
以上のとおり、本発明の発光ダイオードパッケージは、開口部が設けられたパッケージ筐体と、発光ダイオード素子とを備えている発光ダイオードパッケージであって、上記開口部は、上記発光ダイオード素子が設けられており、矩形である底面と、上記底面を構成する各辺に接する４つの側面とにより構成されており、上記４つの側面は、上記底面における対辺の一方の組を構成する各辺に接する２つの上記側面である第１側面対と、上記底面における対辺の他方の組を構成する各辺に接する２つの上記側面である第２側面対とから成り、上記４つの側面は、上記底面に垂直な上記開口部の断面が上記底面から離れる程に大きくなるように設けられており、上記第１側面対を構成する各側面、および上記第２側面対を構成する各側面のうち、少なくとも一方は、上記底面に対する傾斜角度が、上記底面から離れる程に大きくなるように設けられており、上記底面に垂直であって、上記第１側面対を構成する上記側面のいずれかに接する上記底面の辺と平行な第１の断面と、上記底面に垂直であって、上記第２側面対を構成する上記側面のいずれかに接する上記底面の辺と平行な第２の断面とで、上記発光ダイオード素子から射出された光の配光角が異なっている。
【００３４】
従って、本発明は、光利用効率が高く、高い光学的均一性を有するバックライト装置に対応可能であり、製造が簡単であるという効果を奏する。
【図面の簡単な説明】
【００３５】
【図１】本発明の一実施例に係る発光ダイオードパッケージの構成を示す斜視図である。
【図２】底面の図１と異なる例を示す平面図である。
【図３】数式（１）〜（３）、およびこれらの数式における各変数の定義の一部を示す図である。
【図４】数式（１）〜（３）における各変数の定義を理解するための参照となる図である。
【図５】図５（ａ）〜（ｃ）は、図１に示す例および従来構造における、側面の形状および配光特性を示した図である。
【図６】図６（ａ）および（ｂ）は、図１に示す例および従来構造に係る各発光ダイオードパッケージにより、導光板への光の射出を実施した状態を示す図である。
【図７】図１に示す発光ダイオードパッケージのシミュレーションモデルを示す斜視図である。
【図８】図７に係るシミュレーションモデルの概略構成、およびこれらのシミュレーションモデルによるシミュレーション結果を示す図である。
【図９】図１に示す発光ダイオードパッケージを備えたバックライト装置のシミュレーションモデルを示す斜視図である。
【図１０】図９に係るシミュレーションモデルの概略構成、およびこれらのシミュレーションモデルによるシミュレーション結果を示す図である。
【図１１】図１に示す発光ダイオードパッケージを備えたバックライト装置の構成を示す平面図である。
【図１２】図１に示す発光ダイオードパッケージにおいて、底面が正反射面である場合の特性と、底面がランバート散乱面である場合の特性とを比較する図である。
【発明を実施するための形態】
【００３６】
［実施例１］
〔発光ダイオードパッケージの構成〕
図１は、本実施例に係る発光ダイオードパッケージの構成を示す斜視図である。
【００３７】
なお、図１には、互いに垂直である、α方向、β方向、およびγ方向の３方向を図示している。α方向、β方向、およびγ方向の各々が示す方向については、追って具体的に説明する。
【００３８】
図１に示す発光ダイオードパッケージ１００は、パッケージ筐体１、および２つのＬＥＤ素子２を備えている。
【００３９】
パッケージ筐体１は、例えば樹脂または金属から成る、発光ダイオードパッケージ１００の筐体である。パッケージ筐体１は、ＬＥＤ素子２の発光中、高温になることが予想されるので、耐熱性に優れた材料によって構成されているのが好ましい。
【００４０】
パッケージ筐体１は、直方体から構成されており、その１面である開口面１ｈに開口部３が設けられている。α方向は開口面１ｈの短手方向に沿った方向、β方向は開口面１ｈの長手方向に沿った方向、γ方向は開口面１ｈに垂直な方向であると言える。
【００４１】
ＬＥＤ素子（発光ダイオード素子）２は、例えば白色ＬＥＤであり、発光ダイオードパッケージ１００の光源である。図１には、ＬＥＤ素子２を２つ用いた例を図示しているが、発光ダイオードパッケージ１００におけるＬＥＤ素子２の個数は、２つに限定されず、１つまたは３つ以上であってもよい。さらに、赤色、緑色、および青色の３種類のＬＥＤ素子２を用いて、発光ダイオードパッケージ１００の光源を構成してもよい。
【００４２】
開口部３は、γ方向において、開口面１ｈから、その対面に向かって開口しており、底部に相当する面である底面４、および側壁部分に相当する面である側面５により構成されている。
【００４３】
底面４は、開口面１ｈと平行または略平行に設けられている。すなわち、底面４は、概ね、α方向およびβ方向に平行または略平行な面であると言える。
【００４４】
底面４には、ＬＥＤ素子２が設けられている。複数のＬＥＤ素子２は、例えば図１に示すβ方向、またはα方向に配列される。
【００４５】
また、底面４は矩形である。図１では、底面４の各辺、すなわち該矩形を構成する各辺を、辺４ａ〜４ｄとしている。
【００４６】
なお、底面４を矩形とする理由は、下記のとおりである。すなわち、底面４に垂直な方向であって、辺４ａと平行な断面（γ−α断面：第１の断面および第２の断面の一方）と、底面４に垂直な方向であって、辺４ｂと平行な断面（γ−β断面：第１の断面および第２の断面の他方）とで、異なる配光角を実現するために、底面４が矩形であることが重要となるためである。
【００４７】
但し、底面４のかわりに、上記矩形の対辺の１組（ここでは辺４ａおよび４ｃ）を凸状に湾曲させて得られる形状である底面４´（図２参照）が用いられてもよい。
【００４８】
ＬＥＤ素子２を実装する工程を容易にする場合、底面４は平面であるのが好ましい。一方、底面４を、凹凸を有する粗い面（散乱面）とすることにより、光利用効率の向上を図ることが可能となる。底面４´においても同様である。但し、本願明細書における、底面４に垂直な方向、および底面４と平行な方向については、たとえ底面４に凹凸が形成されていても、該凹凸を無視した方向である（すなわち、底面４を平面と解釈する）ものとして、説明を行っている。
【００４９】
側面５は、底面４の各辺４ａ〜４ｄから、開口面１ｈまで延びる、４つの側面５ａ〜５ｄに分類することができる。
【００５０】
また、４つの側面５ａ〜５ｄは、底面４における対辺の一方の組である辺４ａおよび４ｃのそれぞれに接する側面５ａおよび５ｃと、該対辺の他方の組である辺４ｂおよび４ｄのそれぞれに接する側面５ｂおよび５ｄとに分類することができる。側面５ａおよび５ｃから成る対、ならびに側面５ｂおよび５ｄから成る対の、一方が第１側面対であり、他方が第２側面対である。
【００５１】
側面５ａ〜５ｄはいずれも、底面４に垂直な開口部３の断面が、底面４から離れる程に大きくなるように設けられている。
【００５２】
換言すれば、側面５ａおよび５ｃはいずれも、底面４から離れる程に、開口部３の幅が少なくともβ方向に広くなるように設けられている。同様に、側面５ｂおよび５ｄはいずれも、底面４から離れる程に、開口部３の幅が少なくともα方向に広くなるように設けられている。
【００５３】
以下、底面４に垂直な開口部３の断面が、底面４から離れる程に大きくなるような側面５ａ〜５ｄの形状を「開口が広がる形状」とも称する。
【００５４】
側面５ａ〜５ｄが、開口が広がる形状であることにより、ＬＥＤ素子２から射出される光が、側面５ａ〜５ｄで反射されることを低減することができる。これにより、発光ダイオードパッケージ１００においては、ＬＥＤ素子２から射出される光に対する、光利用効率の低下を抑制することができる。
【００５５】
なお、側面５ａおよび５ｃを、開口が広がる形状にすることにより、ＬＥＤ素子２から射出された光の、底面４に垂直かつ辺４ｂと平行な断面（γ−β断面）における配光角が広くなる。また、側面５ｂおよび５ｄを、開口が広がる形状にすることにより、ＬＥＤ素子２から射出された光の、底面４に垂直かつ辺４ａと平行な断面（γ−α断面）における配光角が広くなる。但し、これらの場合、配光角が広くなる該断面において、ＬＥＤ素子２から射出された光の射出方向（すなわち、ＬＥＤ素子２を基準としたγ方向）およびその近傍における光度が低くなる。このことが、発光ダイオードパッケージ１００を備えたバックライト装置における光学的均一性を損なう要因となっていた。
【００５６】
そこで、発光ダイオードパッケージ１００では、側面５ａ〜５ｄを、パッケージ筐体１の外側に凸となるように膨らんだ曲側面とした。
【００５７】
つまり、側面５ａ〜５ｄはいずれも、底面４に対する傾斜角度（但し、０°≦傾斜角度≦９０°）が、底面４から離れる程に大きくなるように設けられている。
【００５８】
曲側面である側面５ａ〜５ｄにおいては、上記γ−α断面またはγ−β断面における、ＬＥＤ素子２の射出光の配光角を極めて狭くすることが可能である。該配光角が極めて狭い射出光は、側面５ａ〜５ｄによる反射が非常に少なくなり、屈折率が異なる物質への入射時における界面反射が少なくなるため、高い光度とすることができ、光利用効率も高いと言える。
【００５９】
曲側面を適用することで、ＬＥＤ素子２から射出された光の、上記γ−β断面における配光角と、ＬＥＤ素子２から射出された光の、上記γ−α断面における配光角との、一方を広くし、他方を狭くする。これにより、ＬＥＤ素子２から射出された光の配光特性を、射出方向において高い光度とすることができるので、該射出方向において不均一となりにくくすることが可能となる。
【００６０】
なお、発光ダイオードパッケージ１００では、側面５ａおよび５ｃから成る対と、側面５ｂおよび５ｄから成る対との両方が曲側面となっているが、これらの対のいずれか一方のみが曲側面となっている構成であってもよい。
【００６１】
すなわち、γ−α断面およびγ−β断面の各々においては、平行に設けられた側面５の形状だけではなく、垂直に交わるように設けられた側面５の形状も、配光特性に対して影響を及ぼす。また、側面５の寸法等の条件が合えば、上記側面５ａおよび５ｃから成る対と、側面５ｂおよび５ｄから成る対とのいずれか１対を曲側面にするだけで、γ−α断面とγ−β断面とで異なる配光特性を実現できることもある。エッジライト方式のバックライト装置の光源として、発光ダイオードパッケージ１００を用いる場合、該バックライト装置の面内方向（該バックライト装置の導光板に平行な面の面内方向）に、光が広がるほうが好ましい。
【００６２】
側面５ａ〜５ｃのいずれもが曲側面でない場合、ＬＥＤ素子２の射出光の配光角を極めて狭くすることが困難である。
【００６３】
また、発光ダイオードパッケージ１００は、開口部３を設け、開口部３の底面４にＬＥＤ素子２を設けるだけの簡素な構成で実現可能であるため、製造が容易であり、製造コストの低下も期待できる。
【００６４】
〔複合放物面〕
曲側面である各側面５ａ〜５ｄは、複合放物面であるのが好ましい。
【００６５】
ここで、複合放物面とは、一般的には、複数の放物面が合わされた形状の面である。特に、本実施例に係る複合放物面は、図３に示す数式（１）〜（５）を満足する面である。
【００６６】
但し、数式（２）に、図３に示す変数α、変数β、および変数γを代入したのが数式（３）であり、数式（３）から後述する座標ｒを求めるのが数式（４）であるので、数式（２）〜（４）のいずれかを満足させれば、自ずと数式（２）〜（４）の全てを満足することになる。
【００６７】
また、図３におけるパッケージとは、発光ダイオードパッケージ１００を意味するものとする。また、パッケージ内部の屈折率とは、該パッケージの内部（すなわち、開口部３）に樹脂等が充填されている場合、該充填されている物質の屈折率となり、充填されていない場合、空気の屈折率となる。パッケージ外部の屈折率についても同様である。
【００６８】
図３に示していない、数式（１）〜（５）における各変数の定義は以下のとおりである。
【００６９】
但し、下記定義において「側面５ｘ」とは、複合放物面を構成する対象となる、側面５の任意の１面を意味するものとする。また、下記定義において「辺４ｘ」とは、底面４における、側面５ｘが接している辺を意味するものとする。
【００７０】
ｒ：底面４の中心を基準とした、辺４ｘと平行な方向における座標。
【００７１】
ｚ：底面４の中心を基準とした、辺４ｘに垂直な方向における座標。
【００７２】
Ｌｍａｘ：θおよびａによってとり得る、Ｌの最大値。
【００７３】
なお、図３のパッケージ高さ寸法Ｌは、辺４ｘに垂直な方向における側面５ｘの長さということもできる。
【００７４】
数式（１）〜（５）における各変数の定義については、図３に加え、図４を併せて参考にされたい。
【００７５】
〔側面の形状および配光特性〕
図５（ａ）〜（ｃ）は、本実施例および従来構造における、側面の形状および配光特性を示した図である。
【００７６】
図５（ａ）に示す側面の形状および配光特性は、本実施例の発光ダイオードパッケージ１００（曲側面である側面５と同じ側面５１）のものである。図５（ｂ）に示す側面の形状および配光特性は、従来構造の発光ダイオードパッケージ（曲側面でなく、開口が広がる形状である側面５２）のものである。図５（ｃ）に示す側面の形状および配光特性は、従来構造の発光ダイオードパッケージ（曲側面でなく、底面に垂直な開口部の断面が、底面からの距離に関わらず一定の大きさである形状である側面５３）のものである。
【００７７】
図５（ａ）の配光特性では、互いに垂直な２方向（γ−α断面およびγ−β断面）における配光特性を、それぞれ実線および点線で示している。図５（ａ）に示す配光特性は、互いに垂直な２つの配光の方向（すなわち、第１の断面および第２の断面）において、配光角が顕著に異なっていることを示している。
【００７８】
一方、図５（ｂ）および（ｃ）に示す配光特性は、互いに垂直な２つの配光の方向において、配光角がほぼ同じであることを示している。
【００７９】
図６（ａ）および（ｂ）は、本実施例および従来構造に係る各発光ダイオードパッケージにより、導光板への光の射出を実施した状態を示す図である。
【００８０】
図６（ａ）には、図５（ａ）に示す側面５１の構造を有する発光ダイオードパッケージ１００により、導光板６０への光の射出を実施した状態を示している。
【００８１】
図６（ｂ）には、図５（ｂ）に示す側面５２の構造を有する発光ダイオードパッケージ２００により、導光板６０への光の射出を実施した状態を示している。
【００８２】
図６（ｂ）の射出状態と比較すると、図６（ａ）の射出状態においては、導光板６０内での輝度ムラ６１が発生している範囲が狭い。
【００８３】
本実施例に係る配光特性（図５（ａ）の点線）と従来構造の配光特性とは、配光角の広さに関しては同程度であり、本実施例に係る配光特性（図５（ａ）の実線）は、それらより狭い配光角度である。
【００８４】
また、図５（ｂ）に示す側面５２を有するパッケージは、配光角０°（射出方向）およびその近傍の光の光度が低くなる構造となる場合がある。これが光の輝度ムラ６１の要因となる。
【００８５】
本発明では射出方向に狭い配光角を示すことから、これを効率よく左右に分散することで輝度ムラ領域の低減が期待できる。
【００８６】
特に、図６（ａ）および（ｂ）のそれぞれについて、導光板６０に射出光が入射する位置の、導光板６０の面に垂直な断面を見ると、輝度ムラ６１の差が顕著である。
【００８７】
上記断面における、発光ダイオードパッケージ１００の射出光の形状と、発光ダイオードパッケージ２００の射出光の形状とは、下記の点で異なっている。
【００８８】
すなわち、発光ダイオードパッケージ１００の射出光は、上記断面を縦断するように、その光度が高くなっている。一方、発光ダイオードパッケージ２００の射出光は、上記断面において小さな円形に、その光度が高くなっている。
【００８９】
［実施例２〜４］
図５（ａ）に示す側面５１を有する発光ダイオードパッケージ１００と、図５（ｂ）に示す側面５２を有する発光ダイオードパッケージ２００と、図５（ｃ）に示す側面５３を有する発光ダイオードパッケージ（発光ダイオードパッケージ３００と称する）とを比較した。
【００９０】
図７は、発光ダイオードパッケージ１００のシミュレーションモデルを示す斜視図である。
【００９１】
発光ダイオードパッケージ１００のシミュレーションモデル７０において、ＬＥＤ素子２は、パッケージに２個配置した。各ＬＥＤ素子２は、波長４６０ｎｍの光を全方位に対して同じ確率で０．１ｍＷ射出する。解析本数は、１つのＬＥＤ素子２あたり１００万本であり、ここでは計２００万本である。この条件のもと、φ２００ｍｍの球形状のディテクタ７３によって、放射束および配光特性を検出する。図５（ａ）における点線および実線の配光特性に対応する２方位を、それぞれ「0deg」および「90deg」と示している。
【００９２】
また、開口部３を、屈折率Ｎｄ＝１．５７の封止樹脂６により封止している。
【００９３】
発光ダイオードパッケージ１００と導光板６０とを離間することにより、これらの間で、屈折率がこれらと大きく異なる領域が発生する。この結果、屈折率が大きく異なる異種物質間での光の反射に起因して、バックライト装置における光利用効率が悪化する虞があるという問題が発生する。
【００９４】
開口部３を封止樹脂６により封止することで、発光ダイオードパッケージ１００と導光板６０との間で、屈折率がこれらと大きく異なる領域を少なくすることができる。この結果、バックライト装置における光利用効率が悪化する虞を低減することが可能となる。
【００９５】
なお、当然ながら、図１に示す発光ダイオードパッケージ１００の開口部３を、封止樹脂６により封止してもよい。これにより、発光ダイオードパッケージ１００を備えたバックライト装置において、光利用効率が悪化する虞を低減することが可能となる。
【００９６】
図７には、発光ダイオードパッケージ１００のシミュレーションモデル７０のみを示したが、発光ダイオードパッケージ２００および３００についても、同様のシミュレーションモデルを適用する。発光ダイオードパッケージ２００のシミュレーションモデルをシミュレーションモデル７１とし、発光ダイオードパッケージ３００のシミュレーションモデルをシミュレーションモデル７２とする。
【００９７】
図８は、シミュレーションモデル７０〜７２の概略構成、およびシミュレーションモデル７０〜７２によるシミュレーション結果を示す図である。
【００９８】
図８中「実施例２」は、発光ダイオードパッケージ１００のシミュレーションモデル７０の概略構成、およびシミュレーションモデル７０によるシミュレーション結果を示している。
【００９９】
図８中「実施例３」は、発光ダイオードパッケージ２００のシミュレーションモデル７１の概略構成、およびシミュレーションモデル７１によるシミュレーション結果を示している。
【０１００】
図８中「実施例４」は、発光ダイオードパッケージ３００のシミュレーションモデル７２の概略構成、およびシミュレーションモデル７２によるシミュレーション結果を示している。
【０１０１】
実施例２は、本発明の一実施の形態であり、実施例３および４は、その比較例であると言える。
【０１０２】
図８の配光特性において、0degは配光特性のグラフにおける薄い色のプロファイル、90degは同濃い色のプロファイルである。
【０１０３】
図８の配光特性のグラフでは、半円を構成する円（図示しない）の中心から、半円の弧へと向かう方向が、光の強度比（単位：無）を示している。また、図８の配光特性のグラフにおける、半円の弧は、角度（−９０°〜９０°）を示している。
【０１０４】
図８に示す「効率」とは、光利用効率を意味する。
【０１０５】
シミュレーションモデル７１および７２による配光特性に対して、シミュレーションモデル７０による配光特性は、0deg方向に広く、90deg方向に狭い配光特性を示している。90deg方向に狭い配光特性によって、発光ダイオードパッケージ１００からの射出光に対する光利用効率は向上する。これは、光射出面への入射角度が臨界角（反射してしまい、面を通過しない角度）以下となることによる。同様の理由で、導光板６０への入光効率も高くなり、バックライト装置としての高光利用効率化を実現することが可能となる。
【０１０６】
［実施例５〜７］
図５（ａ）に示す側面５１を有する発光ダイオードパッケージ１００を備えたバックライト装置と、図５（ｂ）に示す側面５２を有する発光ダイオードパッケージ２００を備えたバックライト装置と、図５（ｃ）に示す側面５３を有する発光ダイオードパッケージ３００を備えたバックライト装置とを比較した。
【０１０７】
図９は、発光ダイオードパッケージ１００を備えたバックライト装置のシミュレーションモデルを示す斜視図である。
【０１０８】
発光ダイオードパッケージ１００を備えたバックライト装置のシミュレーションモデル９０における発光ダイオードパッケージ１００は、シミュレーションモデル７０と同じ構成のものを適用した。
【０１０９】
導光板９３は、アクリルから成る、屈折率Ｎｄ＝１．４９のものであり、３５本の導光板溝９４が設けられたものである。部材番号９５の部材は、反射板である。
【０１１０】
発光ダイオードパッケージ１００を備えたバックライト装置の具体的な構成については後述する。
【０１１１】
また、シミュレーションモデル９０から射出されることになる光を、検出面９６にて検出する。
【０１１２】
図９には、発光ダイオードパッケージ１００を備えたバックライト装置のシミュレーションモデル９０のみを示したが、発光ダイオードパッケージ２００および３００についても、同様のシミュレーションモデルを適用する。発光ダイオードパッケージ２００を備えたバックライト装置のシミュレーションモデルをシミュレーションモデル９１とし、発光ダイオードパッケージ３００を備えたバックライト装置のシミュレーションモデルをシミュレーションモデル９２とする。
【０１１３】
図１０は、シミュレーションモデル９０〜９２の概略構成、およびシミュレーションモデル９０〜９２によるシミュレーション結果を示す図である。
【０１１４】
図１０中「実施例５」は、発光ダイオードパッケージ１００を備えたバックライト装置のシミュレーションモデル９０の概略構成、およびシミュレーションモデル９０によるシミュレーション結果を示している。
【０１１５】
図１０中「実施例６」は、発光ダイオードパッケージ２００を備えたバックライト装置のシミュレーションモデル９１の概略構成、およびシミュレーションモデル９１によるシミュレーション結果を示している。
【０１１６】
図１０中「実施例７」は、発光ダイオードパッケージ３００を備えたバックライト装置のシミュレーションモデル９２の概略構成、およびシミュレーションモデル９２によるシミュレーション結果を示している。
【０１１７】
実施例５は、本発明の一実施の形態であり、実施例６および７は、その比較例であると言える。
【０１１８】
図１０中、「Ｅ−００４」「Ｅ−００５」「Ｅ＋０００」の表記は、それぞれ、直前の数字の、−４乗、−５乗、０乗を示している。
【０１１９】
図１０に示す「効率」とは、光利用効率を意味する。
【０１２０】
シミュレーションモデル９１および９２と比較して、シミュレーションモデル９０は、全体的に照度が高いことが分かる。また、シミュレーションモデル９１と比較して、シミュレーションモデル９０は、射出光において、高い均一性が得られている。
【０１２１】
［実施例８］
図１１は、発光ダイオードパッケージ１００を備えたバックライト装置の構成を示す平面図である。
【０１２２】
図１１に示すバックライト装置１１０は、４つの発光ダイオードパッケージ１００、導光板９３、蛍光体層１１１、および導光板９３の背面に設けられた反射板９５（図９参照）を備えている。
【０１２３】
さらに、図１１には、発光ダイオードパッケージ１００の開口部３が、封止樹脂６により封止されている例を示した。
【０１２４】
図１１には、発光ダイオードパッケージ１００を４つ用いた例を図示しているが、バックライト装置１１０における発光ダイオードパッケージ１００の個数は、４つに限定されず、３つ以下または５つ以上であってもよい。
【０１２５】
発光ダイオードパッケージ１００は、蛍光体層１１１を介して、導光板９３に光を射出するように構成されている。
【０１２６】
蛍光体層１１１には、発光ダイオードパッケージ１００からの射出光が入射される。蛍光体層１１１は、入射された該射出光における１次光の一部を吸収して、該１次光と異なる波長の光である２次光を発するものである。蛍光体層１１１からの射出光は、導光板９３に入射される。
【０１２７】
導光板９３は、Ｖ字の溝である導光板溝９４（図９参照）を備えた、凹凸加工が施された板である。Ｖ字の導光板溝９４は、ドット状の開口等の、他の凹凸形状に置換されてもよい。導光板９３は、蛍光体層１１１を介して入射された、発光ダイオードパッケージ１００からの光を拡散させることにより、導光板９３の正面から均一な光を出射する。
【０１２８】
反射板９５は、導光板９３の背面から出射する一部の光を反射させて、導光板９３の正面に集めるために使用されるものである。
【０１２９】
発光ダイオードパッケージ１００を用いて発光ダイオードパッケージを構成することにより、発光ダイオードパッケージ１００の光利用効率が高く、高い光学的均一性を有するバックライト装置１１０を実現することができる。
【０１３０】
また、封止樹脂６を用いない場合、発光ダイオードパッケージ１００は、開口部３を設け、底面４にＬＥＤ素子２を設けるだけの簡素な構成で実現可能であるため、製造が容易であり、製造コストの低下も期待できる。
【０１３１】
また、開口部３を封止樹脂６で封止することにより、発光ダイオードパッケージ１００と導光板９３との間での、屈折率のバラつきを抑制し、この結果、バックライト装置１１０における光利用効率が悪化する虞を低減することが可能となる。
【０１３２】
なお、バックライト装置１１０において、蛍光体層１１１は省略されてもよい。この場合、発光ダイオードパッケージ１００からの射出光が、直接、導光板９３に入射されることとなる。
【０１３３】
一方、発光ダイオードパッケージ１００からの射出光は配光角が好適に制御されているため、蛍光体層１１１を設けることにより、色度の制御が容易となる。また、バックライト装置１１０の構造を簡易化することが可能となり、生産性が向上する。
【０１３４】
バックライト装置１１０は、液晶パネルモジュールの上下および左右の側面に、発光ダイオードパッケージ１００を配する構成の、エッジライト方式のバックライト装置に好適に用いることができる。
【０１３５】
［実施例９］
図１２は、発光ダイオードパッケージ１００において、底面４が正反射面（正反射を呈する平面）である場合の特性と、底面４がランバート散乱面（散乱面）である場合の特性とを比較する図である。
【０１３６】
ここで、ランバート散乱面とは、底面４に入射する光がランバート反射を呈するように構成された平面を意味する。
【０１３７】
図１２は、底面４がランバート散乱面である発光ダイオードパッケージ１００の特性（図１２左側）を、底面４が正反射面である発光ダイオードパッケージ１００の特性（図１２右側）と共に、図８と同様の要領により示したものである。
【０１３８】
底面４をランバート散乱面とすることにより、発光ダイオードパッケージ１００の光利用効率が向上し、かつ、0deg方向に広く、90deg方向に狭い配光特性が維持されることが分かる。
【０１３９】
このように、底面４をランバート散乱面等の散乱面とすることにより、さらなる光利用効率の向上を図ることが可能となる。
【０１４０】
［付記事項］
本発明は、矩形断面と2対の曲面によって一方は狭く、他方は広い配広角となる様な配広角に異方性を有したＬＥＤパッケージ構造であってもよい。この構造は、光射出角度の制御による光取り出し効率の向上が期待でき、特に面光源としての利用に有効である。
【０１４１】
本発明は、上記ＬＥＤパッケージ構造において、曲面に複合放物面を適用してもよい。この構造は、異配光性（配広角の異方性）を容易に実現することが可能である。
【０１４２】
本発明は、上記ＬＥＤパッケージ構造において、実装空間凹部を樹脂封止してもよい。この構造は、屈折率差減による光利用効率の向上が期待できる。
【０１４３】
本発明は、上記ＬＥＤパッケージを用いたエッジライト方式の液晶表示装置用バックライトであってもよい。この構造は、異方配光による輝度ムラ領域の低減、狭縁、小型化、光利用効率の向上が期待できる。
【０１４４】
本発明は、導光板への光射出面に蛍光体層を設けて任意の色を得るバックライト表示装置であってもよい。射出光は配光制御されている為、この構造は、容易な色度設計、管理を可能とする。また、この構造は、構造の簡易化による生産性の向上が期待できる。
【０１４５】
本発明は、特に、中小型液晶表示装置用のバックライトに適用することで効果が大きい。
【０１４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４７】
本発明は、発光ダイオードパッケージ、および該発光ダイオードパッケージを備えたエッジライト方式のバックライト装置に利用することができる。
【符号の説明】
【０１４８】
１  パッケージ筐体
２  ＬＥＤ素子（発光ダイオード素子）
３  開口部
４  底面
５ａ〜５ｄ  側面
６  封止樹脂（樹脂）
９３  導光板
１００  発光ダイオードパッケージ
１１０  バックライト装置
１１１  蛍光体層
【図１】
2013084690.tif 000003
【図２】
2013084690.tif 000004
【図３】
2013084690.tif 000005
【図４】
2013084690.tif 000006
【図５】
2013084690.tif 000007
【図６】
2013084690.tif 000008
【図７】
2013084690.tif 000009
【図８】
2013084690.tif 000010
【図９】
2013084690.tif 000011
【図１１】
2013084690.tif 000012
【図１２】
2013084690.tif 000013
【図１０】
2013084690.tif 000014